(57)【要約】【課題】トリミング時に切欠部を同時加工するかしないかを選択的に切換可能であることを前提としながらも、切欠部を同時加工しない場合において当該切欠部に相当する部分での歪みや変形の発生を未然に防止できる型構造を提供する。【解決手段】製品部領域Ｐからのスクラップ領域Ｓのトリミングと同時に切欠部Ｑを加工しない場合には、上下のトリミング切刃６，７同士が噛み合った後であって且つ補助トリミングダイ４がワークＷに接触する前に上型２の下降を停止する。故にワークＷに歪み等が発生しない。上記トリミングと同時に切欠部Ｑを加工する場合には、上下のトリミング切刃６，７同士が噛み合うとともに上下の切欠部用切刃８，９同士が噛み合うまで上型２の下降を継続する。【選択図】図５
2008307593.tif 000002
【特許請求の範囲】
【請求項１】
パネル状ワークのうち製品部領域の外周に付帯しているスクラップ領域をトリムラインをもって切断・除去してトリミングする際に、上記トリムラインの一部と交差する切欠カットラインをもって製品部領域の一部に切欠部を同時加工するか否かを選択切換可能としたトリミングプレス型であって、
上型は、上記トリムラインに相当する上側のトリミング切刃を有するトリミングダイと、上記トリミング切刃よりも上方に位置して且つ切欠部の輪郭となるべき切欠カットラインに相当する上側の切欠部用切刃を有する補助トリミングダイと、を備えている一方、
下型は、上記トリムラインに相当する下側のトリミング切刃と、この下側トリミング切刃と上下方向で段差なく連続して切欠部の輪郭となるべき切欠カットラインに相当する下側の切欠部用切刃と、を有していて、
さらに、トリムラインと切欠カットラインとの交差部に相当する部分において平面視にて上側のトリミング切刃と上側の切欠部用切刃との間に微小な逃がし部を設定して両者を不連続としてあることを特徴とするトリミングプレス型。
【請求項２】
下型のうち切欠部に相当する部分では、下側の切欠部用切刃と同一平面上に位置する微小幅の平坦部をトリムラインに沿って形成してあり、
その平坦部と刃側面とのなす稜線部に下側のトリミング切刃を形成してあることを特徴とする請求項１に記載のトリミングプレス型。
【請求項３】
トリミングと同時に上記切欠部を同時加工しない場合には、上側の切欠部用切刃が下側の切欠部用切刃と噛み合う前に、上側および下側のトリミング切刃同士の噛み合いに基づくせん断作用によりトリミングが行われるようになっている一方、
トリミングと同時に上記切欠部を同時加工する場合には、上側と下側のトリミング切刃同士の噛み合いに基づくせん断作用によりトリミングが行われるのに続いて、上側および下側の切欠部用切刃同士の噛み合いに基づくせん断作用により切欠部の加工が行われるようになっていることを特徴とする請求項１または２に記載のトリミングプレス型。
【請求項４】
上記切欠部を同時加工するか否かの切り換えは上型の下降限位置の切り換えにより行われるようになっていて、
切欠部を同時加工する場合には、上側および下側のトリミング切刃同士の噛み合い量が切欠部を同時加工しない場合に比べて大きくなるように設定してあることを特徴とする請求項３に記載のトリミングプレス型。
【発明の詳細な説明】
【技術分野】
【０００１】
本発明は、トリミングプレス型、特にパネル状ワークのうち製品部領域の外周に付帯しているスクラップ領域をトリムラインをもって切断・除去していわゆるトリミングする際に、上記トリムラインの一部と交差する切欠カットラインをもって製品部領域の一部に切欠部を同時加工するか否かを選択切換可能としたトリミングプレス型に関するものである。
【背景技術】
【０００２】
この種のトリミングプレス型として例えば特許文献１に記載のものが知られている。
【０００３】
この特許文献１に記載のものでは、製品部領域をトリムラインから切断するための上型刃と下型刃ならびに必要に応じて切欠カットラインをもって切欠部を加工するための上補助刃と下補助刃を備えたトリミングプレス型として、上補助刃が上型刃と一緒に上下動するように当該上型刃に並設され、下補助刃が下型刃に一体的に設けられ、そして下型刃には上補助刃を下補助刃よりも低い適当な位置まで降下させることのできる段差を設けてある。
【０００４】
これにより、トリミングと同時に切欠部を同時加工する場合と、切欠部を同時加工しない場合とに１台のプレス型を使い分けることができる。
【特許文献１】特開平４−１９０９３２号公報
【発明の開示】
【発明が解決しようとする課題】
【０００５】
上記特許文献１に記載の技術では、上補助刃を下補助刃よりも低い位置まで降下させることができるように下型刃に積極的に段差を設けてあるため、同特許文献１の第２図から明らかなように、切欠部を加工しない場合でも当該切欠部に相当する部分が少なくとも上型刃による拘束を受けて、開口縁に下補助刃が形成されている空洞側に押し込まれるかたちとなることから、当該切欠部に相当する部分に歪み、変形あるいは破断等が発生することとなって好ましくない。
【０００６】
本発明はこのような課題に着目してなされたものであり、従来と同様にトリミング時に切欠部を同時加工するかしないかを選択的に切換可能であることを前提としながらも、特に切欠部を同時加工しない場合において当該切欠部に相当する部分での歪み、変形あるいは破断等の発生を未然に防止できるようにしたトリミングプレス型の構造を提供するものである。
【課題を解決するための手段】
【０００７】
本発明は、パネル状ワークのうち製品部領域の外周に付帯しているスクラップ領域をトリムラインをもって切断・除去してトリミングする際に、上記トリムラインの一部と交差する切欠カットラインをもって製品部領域の一部に切欠部を同時加工するか否かを選択切換可能としたトリミングプレス型であることを前提とする。
【０００８】
その上で、上型は、上記トリムラインに相当する上側のトリミング切刃を有するトリミングダイと、上記トリミング切刃よりも上方に位置して且つ切欠部の輪郭となるべき切欠カットラインに相当する上側の切欠部用切刃を有する補助トリミングダイと、を備えている一方、下型は、上記トリムラインに相当する下側のトリミング切刃と、この下側トリミング切刃と上下方向で段差なく連続して切欠部の輪郭となるべき切欠カットラインに相当する下側の切欠部用切刃と、を有している。
【０００９】
そして、トリムラインと切欠カットラインとの交差部に相当する部分において平面視にて上側のトリミング切刃と上側の切欠部用切刃との間に微小な逃がし部を設定して両者を不連続としてあることを特徴とする。
【００１０】
したがって、本発明では、トリミングと同時に切欠部を同時加工しない場合には、上側の切欠部用切刃が下側の切欠部用切刃と噛み合う前に、上側および下側のトリミング切刃同士の噛み合いに基づくせん断作用によりトリミングが行われる。他方、トリミングと同時に切欠部を同時加工する場合には、上側と下側のトリミング切刃同士の噛み合いに基づくせん断作用によりトリミングが行われるのに続いて、上側および下側の切欠部用切刃同士の噛み合いに基づくせん断作用により切欠部の加工が行われることになる。
【００１１】
この場合、下型上において、トリムラインに相当する下側のトリミング切刃と切欠部の輪郭となるべき切欠カットラインに相当する下側の切欠部用切刃とが、上下方向で段差を発生することなしに同一平面上に位置していることから、従来のようにトリミング時に切欠部を同時加工しない場合に当該切欠部に相当する部分に歪み、変形あるいは破断等が発生することがない。
【発明の効果】
【００１２】
本発明によれば、トリミング時に切欠部を同時加工しない場合に当該切欠部に相当する部分に歪み、変形あるいは破断等が発生することがないため、製品部領域の品質が向上する。
【発明を実施するための最良の形態】
【００１３】
図１以下の図面は本発明のより具体的な実施の形態を示す図であり、特に図１は加工対象となるパネル状ワークの一例を、図２以下の図面は上記パネル状ワークを加工対象とするトリミングプレス型の型構造をそれぞれ示している。
【００１４】
図１に示したパネル状ワーク（以下、単に「ワーク」という。）Ｗは例えば自動車の車体の一部となるホイールハウスアウタの如き部品であり、絞り成形または張り出し成形に続くトリミング工程において製品部領域Ｐの周囲に付帯しているスクラップ領域（非製品部領域）ＳをトリムラインＴＬから切断・除去していわゆるトリミングすることが行われる。そして、そのトリミングの際に製品部領域Ｐの一部に例えば車種あるいは仕様の違いに応じて上記トリムラインＴＬの一部と交差する切欠カットラインＣＬをもって切欠部Ｑを同時加工する場合と同時加工しない場合とがあり、本実施の形態のトリミングプレス型ではこのような切欠部ＱがあるワークＷのトリミングと切欠部ＱがないワークＷのトリミングとに共通して使用することができるようになっている。
【００１５】
なお、切欠部ＱがあるワークＷの加工と切欠部ＱがないワークＷの加工との切り換えは、後述するように下型（ポンチ）１に対する上型２の下降限位置の高さ切り換えによる。また、切欠カットラインＣＬをもって切欠部Ｑを形成したときにスクラップと化する領域（斜線を施した部分）を図１に符号Ｍをもって示してある。
【００１６】
図２の（Ａ）は上記トリミングプレス型により切欠部Ｑを加工しない場合において上型２が上昇限位置にある状態を、同図（Ｂ）は上型２が下降限位置にある状態をそれぞれ示している。なお、図２の（Ａ），（Ｂ）は図３のａ−ａ線に沿う断面図を示している。
【００１７】
これらの図において、トリミングプレス型は定位置固定式の下型としてのポンチ１とこのポンチ１に対して昇降動作する上型２とからなり、上型２は互いに隣接配置されたトリミングダイ３と補助トリミングダイ４とから構成されている。そして、ポンチ１には図３に示すように上型２の下降時に補助トリミングダイ４を受容することになる略矩形状のポンチ穴５が形成されている。ここで、ポンチ１は図示外の下ホルダに、トリミングダイ３と補助トリミングダイ４とは図示外の共通の上ホルダにそれぞれ装着されている。
【００１８】
トリミングダイ３はその下端にトリムラインＴＬに相当する上側のトリミング切刃６を有している一方、ポンチ１は同じくトリムラインＴＬに相当する下側のトリミング切刃７を有している。したがって、図２の（Ｂ）のほか図４に示すように、ワークＷが載置されたポンチ１に対して上型２が下降すれば上下のトリミング切刃６，７同士が噛み合い、その噛み合いに基づくせん断作用をもって図１の製品部領域Ｐからスクラップ領域Ｓが切断・除去されていわゆるトリミングが施されることになる。
【００１９】
トリミングダイ３とともに上型２を形成している補助トリミングダイ４には図１の切欠カットラインＣＬに相当する略コの字状の上側の切欠部用切刃８が形成されている一方、下型としてのポンチ１にはそのポンチ穴５の上面開口縁に切欠カットラインＣＬに相当する略コの字状の下側の切欠部用切刃９が形成されている。上側の切欠部用切刃８はそれに隣接するトリミングダイ３側の上側のトリミング切刃６よりも所定量だけ高い位置に設定されている。言い換えるならば、トリミングダイ３と補助トリミングダイ４の下端部同士は所定の段差ｂを有していて、この段差ｂの大きさは切欠部Ｑの加工の有無に応じては何ら変化しない。
【００２０】
したがって、図２の（Ｂ）および図４と異なり、図５の（Ｂ）のほか図６に示すように、上側のトリミング切刃６と下側のトリミング切刃７との噛み合いに基づくトリミングの際に、上側の切欠部用切刃８と下側の切欠部用切刃９とが噛み合うまで補助トリミングダイ４を下降させれば、トリムラインＴＬからのスクラップ領域Ｓのトリミングに続いて切欠カットラインＣＬをもってスクラップ領域Ｍが切断・除去されて、切欠部Ｑが加工されることになる。なお、図５の（Ａ），（Ｂ）は図２と同様に図３のａ−ａ線に沿う断面図を示している。
【００２１】
ここで、図３のほか図６に示すように、ポンチ穴５の上面開口縁部のうち下側のトリミング切刃７に近い部分には、下側の切欠部用切刃９と同一平面上に位置する微小幅寸法ｅ（ｅは例えば２ｍｍ程度）の平坦部１０が形成されている。そして、この平坦部１０は傾斜角度θをなす斜面１０ａをもってポンチ穴５の内面に連続している。さらに、この平坦部１０と補助トリミングダイ４との干渉を回避するためにトリミングダイ３と補助トリミングダイ４との間にはＥ（Ｅは例えば３〜４ｍｍ程度）なる逃がし部１１が形成されている。このように下側の切欠部用切刃９は下側のトリミング切刃７との間に上下方向で段差を発生することなく同一平面上に位置してはいても、下側のトリミング切刃７に近接して平坦部１０があるために、当該下側の切欠部用切刃９は下側のトリミング切刃７に対して不連続となっていて、その下側のトリミング切刃７はポンチ１の平坦部１０と刃側面１ａとのなす稜線部をもって形成されていることになる。
【００２２】
ここで、上記上型２の下降限位置の切り換えは、例えばプレス機械に付帯しているストローク調整機構またはスライドアジャスト機構の機能を使ってその都度切り換えるものとする。
【００２３】
したがって、このように構成された本実施の形態のトリミングプレス型によれば、切欠部Ｑを有しないワークＷを加工する場合には、図４に示すように上型２が下降した場合に、下側のトリミング切刃７と上側のトリミング切刃６とが所定量だけ噛み合ってせん断作用がなされるものの、補助トリミングダイ４、すなわち上側の切欠部用切刃８がワークＷに接触しないようにその上型２の下降限位置を予め設定しておく。このため、上型２が下降したとしても、図１に示したトリムラインＴＬをもって製品部領域ＰがスクラップＳとが切断・分離されることになるものの、上側の切欠部用切刃８がワークＷに接触しないために切欠部Ｑの加工は行われない。
【００２４】
この場合、平坦部１０と下側の切欠部用切刃９は同一平面上にあるため、製品部領域Ｐのうち切欠部Ｑとなるべき領域に無理な力が加わることがなく、当該切欠部Ｑに相当する製品部領域Ｐの一部の無用な歪み、変形あるいは破断等が発生することはない。
【００２５】
他方、切欠部Ｑを有するワークＷを加工する場合には、図６に示すように上型２が下降した場合に、下側のトリミング切刃７と上側のトリミング切刃６とが所定量だけ噛み合ってせん断作用が規定通りになされ、なお且つ補助トリミングダイ４における上側の切欠部用切刃８とポンチ１における下側の切欠部用切刃９とが噛み合ってせん断作用がなされるようにその上型２の下降限位置を予め設定しておく。このため、上型２が下降した場合には、先行して図１に示したトリムラインＴＬをもって製品部領域ＰがスクラップＳとが切断・分離されることになるほか、それに続いて下側の切欠部用切刃９と上側の切欠部用切刃８とが噛み合い、その噛み合いに基づくせん断作用によって切欠カットラインＣＬをもってスクラップ領域Ｍが切断・分離されて切欠部Ｑが形成されることになる。
【００２６】
この場合、ポンチ１の上面に平坦部１０があるため、切欠カットラインＣＬに相当する下側および上側の切欠部切刃９，８同士の噛み合い部はトリムラインＴＬに相当する下側および上側のトリミング用切刃７，６同士の噛み合い部に対して非連続であり、上記平坦部１０に相当する部分において切り残しが発生することになる。
【００２７】
しかしながら、図６に示すように上型２が下降限位置近くまで下降すると、補助トリミングダイ４が切欠部Ｑとなるべきスクラップ領域Ｍをポンチ穴５側に押し込むかたちとなって、スクラップ領域Ｍのうち平坦部１０に相当する部分には所定の張力が作用するため、当該部分では切欠カットラインＣＬ側からトリムラインＴＬ側に向かってその切欠カットラインＣＬを延長するようなかたちでいわゆる引きちぎりによる「ちぎれ破断」が発生し、最終的にはトリムラインＴＬに交差しつつ連続する切欠カットラインＣＬをもって切欠部Ｑが形成されることになる。
【００２８】
なお、上記「ちぎれ破断」による破断面は必ずしも綺麗に仕上がっているわけではないが、当該部分には後加工が施されるので実用上は問題はない。
【００２９】
このように本実施の形態によれば、少なくともトリミング時に切欠部Ｑを同時加工しない場合に当該切欠部Ｑに相当する製品部領域Ｐの一部に歪み、変形あるいは破断等が発生することがないため、製品部領域Ｐの品質向上に寄与できることになる。
【図面の簡単な説明】
【００３０】
【図１】本発明に係るトリミングプレス型での加工対象となるパネル状ワークの一例を示す概略説明図。
【図２】本発明に係るトリミングプレス型の実施の形態を示す図で、（Ａ）は切欠部を加工しない場合の上型上昇時の説明図、同図（Ｂ）は同じく切欠部を加工しない場合の上型下降時の説明図。
【図３】図１に示したポンチの要部拡大斜視図。
【図４】図２の（Ｂ）のｃ部拡大図。
【図５】本発明に係るトリミングプレス型の実施の形態を示す図で、（Ａ）は切欠部を加工する場合の上型上昇時の説明図、同図（Ｂ）は同じく切欠部を加工する場合の上型下降時の説明図。
【図６】図５の（Ｂ）のｄ部拡大図。
【符号の説明】
【００３１】
１…ポンチ（下型）
１ａ…刃側面
２…上型
３…トリミングダイ
４…補助トリミングダイ
５…ポンチ穴
６…上側のトリミング切刃
７…下側のトリミング切刃
８…上側の切欠部用切刃
９…下側の切欠部用切刃
１０…平坦部
Ｍ…スクラップ領域
Ｐ…製品部領域
Ｑ…切欠部
Ｓ…スクラップ領域
Ｗ…パネル状ワーク
【図１】
2008307593.tif 000003
【図２】
2008307593.tif 000004
【図３】
2008307593.tif 000005
【図４】
2008307593.tif 000006
【図５】
2008307593.tif 000007
【図６】
2008307593.tif 000008